(57)【要約】【目的】  本発明はコンタクト間のクロストークを低減できるコネクタを提供する。【構成】  コネクタは、ボディ１００に同一高さで第１方向Ｘに並ぶように設けられた第１、第２コンタクト２００ａ、２００ｂと、ボディ１００の第１、第２コンタクト２００ａ、２００ｂの間に設けられた第３コンタクト２００ｃと、ボディ１００に第１、第２、第３コンタクト２００ａ〜２００ｃと異なる高さに位置するように設けられ且つ平面位置的に第３コンタクト２００ｃの第１方向Ｘの両隣に配置された第４コンタクト３００ａとを備える。第３コンタクト２００ｃは第３本体部２１０ｃ（クロストーク低減部）を有し、第１、第２コンタクト２００ａ、２００ｂは第１、第２本体部２１０ａ、２１０ｂ（第１、第２対応部）を有する。第３本体部２１０ｃは第１、第２本体部２１０ａ、２１０ｂよりも第４コンタクト３００ａ側に変位している。【選択図】      図２Ｂ
2013242983.tif 000002
【特許請求の範囲】
【請求項１】
絶縁性を有するボディと、
前記ボディに同一高さで第１方向において並ぶように設けられた信号コンタクトである第１、第２コンタクトと、
前記ボディの前記第１、第２コンタクトの間に設けられたグランドコンタクトである第３コンタクトと、
前記ボディに前記第１、第２、第３コンタクトと異なる高さに位置するように設けられており且つ平面位置的に前記第３コンタクトの前記第１方向の両隣のうちの少なくとも一方に配置された信号コンタクトである第４コンタクトとを備えており、
前記第３コンタクトは、クロストーク低減部を有し、
前記第１、第２コンタクトは、前記クロストーク低減部に対応する第１、第２対応部を有し、
前記クロストーク低減部は、前記第１、第２対応部よりも前記第４コンタクト側に変位しているコネクタ。
【請求項２】
請求項１記載のコネクタにおいて、
一対の前記第１コンタクトが同一高さで第１方向において隣り合うように配置されており、
一対の前記第２コンタクトが同一高さで第１方向において隣り合うように配置されており、
前記第３コンタクトは、前記一対の第１、第２コンタクトのうちの一方の第１、第２コンタクトの間に配置されているコネクタ。
【請求項３】
請求項２記載のコネクタにおいて、
一対の前記第４コンタクトが平面位置的に前記第３コンタクトの前記第１方向の両隣に配置されており、
前記第４コンタクトのうち一方の前記第４コンタクトは、前記一方の第１コンタクトと前記第３コンタクトとの間に平面位置的に配置され、他方の前記第４コンタクトは、前記一方の第２コンタクトと前記第３コンタクトとの間に平面位置的に配置されているコネクタ。
【請求項４】
請求項３記載のコネクタにおいて、
前記ボディに前記第４コンタクトと同一高さに位置するように設けられており且つ平面位置的に前記第１コンタクトの間に配置された第５コンタクトと、
前記ボディに前記第４コンタクトと同一高さに位置するように設けられており且つ平面位置的に前記第２コンタクトの間に配置された第６コンタクトとを更に備えたコネクタ。
【請求項５】
請求項４記載のコネクタにおいて、
前記第３コンタクトは、外力を受けて当該第３コンタクトの一部が弾性変形することにより前記第４コンタクト側に移動可能な第３接点部を更に有しており、
前記第１、第２コンタクトは、前記第３コンタクトの第３接点部と同一高さに配置されており且つ外力を受けて当該第１、第２コンタクトの一部が弾性変形することにより前記第４コンタクト側に移動可能な第１、第２接点部を更に有しており、
前記第４コンタクトは、前記第１、第２、第３接点部の移動方向側に前記第１、第２、第３接点部が接近可能に配置された第４離間部を有しており、
前記第５コンタクトは、前記第１接点部の移動方向側に前記第１接点部が接近可能に配置された第５離間部を有しており、
前記第６コンタクトは、前記第２接点部の移動方向側に前記第２接点部が接近可能に配置された第６離間部を有しており、
移動した状態の前記第１接点部と、前記第５離間部との間の距離が、前記第１、第２、第３接点部の移動に応じて前記第１コンタクトのインピーダンスが各々７５Ω〜１０５Ωの範囲で変動するような距離に設定され、
移動した状態の前記第２接点部と、前記第６離間部との間の距離が、前記第１、第２、第３接点部の移動に応じて前記第２コンタクトのインピーダンスが各々７５Ω〜１０５Ωの範囲で変動するような距離に設定されているコネクタ。
【請求項６】
請求項４記載のコネクタにおいて、
前記第３コンタクトは、前記ボディに保持された前記クロストーク低減部であり且つ前記第１方向に直交する第２方向の第１、第２端を有する第３本体部と、
前記第３本体部の前記第１端に連接され且つ前記第４コンタクト側に傾斜した第３傾斜部と、
前記第３傾斜部に連接された第３接点部と、
前記第３本体部の前記第２端に連接されており且つ前記ボディから突出した第３テール部とを有しており、
前記第１、第２コンタクトは、前記ボディに保持された前記第１、第２対応部であり且つ前記第２方向の第１、第２端を有する第１、第２本体部と、
前記第１、第２本体部の前記第１端に連接され且つ前記第４コンタクト側に傾斜した第１、第２傾斜部と、
前記第１、第２傾斜部に連接されており且つ前記第３コンタクトの第３接点部と同一高さに配置された第１、第２接点部と、
前記第１、第２本体部の前記第２端に連接されており且つ前記ボディから突出した第１、第２テール部とを有しているコネクタ。
【請求項７】
請求項６記載のコネクタにおいて、
前記第１、第２、第３接点部が外力を受けて前記第４コンタクト側に移動することにより、前記第１、第２、第３傾斜部が前記第４コンタクト側に弾性変形可能となっており、
前記第４コンタクトは、前記ボディに保持されており且つ前記第２方向の第１、第２端を有する第４本体部と、
前記第４本体部の前記第１端に連接されており且つ前記第１、第２傾斜部と同方向に傾斜した第４傾斜部と、
前記第４傾斜部に連接され、前記第２方向に延びており且つ前記第１、第２、第３接点部の移動方向側に前記第１、第２、第３接点部が接近可能に配置された第４離間部と、
前記第４離間部に連接された第４接点部と、
前記第４本体部の前記第２端に連接されており且つ前記ボディから突出した第４テール部とを有しており、
前記第５コンタクトは、前記ボディに保持されており且つ前記第２方向の第１、第２端を有する第５本体部と、
前記第５本体部の前記第１端に連接されており且つ前記第１、第２傾斜部と同方向に傾斜した第５傾斜部と、
前記第５傾斜部に連接され、前記第２方向に延びており且つ前記第１接点部の移動方向側に前記第１接点部が接近可能に配置された第５離間部と、
前記第５離間部に連接された第５接点部と、
前記第５本体部の前記第２端に連接されており且つ前記ボディから突出した第５テール部とを有しており、
前記第６コンタクトは、前記ボディに保持されており且つ前記第２方向の第１、第２端を有する第６本体部と、
前記第６本体部の前記第１端に連接されており且つ前記第１、第２傾斜部と同方向に傾斜した第６傾斜部と、
前記第６傾斜部に連接され、前記第２方向に延びており且つ前記第２接点部の移動方向側に前記第２接点部が接近可能に配置された第６離間部と、
前記第６離間部に連接された第６接点部と、
前記第６本体部の前記第２端に連接されており且つ前記ボディから突出した第６テール部とを有しており、
移動した状態の前記第１接点部と、前記第５離間部との間の距離が、前記第１、第２、第３接点部の移動に応じて前記第１コンタクトのインピーダンスが各々７５Ω〜１０５Ωの範囲で変動するような距離に設定され、
移動した状態の前記第２接点部と、前記第６離間部との間の距離が、前記第１、第２、第３接点部の移動に応じて前記第２コンタクトのインピーダンスが各々７５Ω〜１０５Ωの範囲で変動するような距離に設定されているコネクタ。
【発明の詳細な説明】
【技術分野】
【０００１】
本発明はコネクタに関する。
【背景技術】
【０００２】
この種のコネクタは、絶縁性を有するボディと、前記ボディに第１方向に一列で配列された５本のＵＳＢ３.０用コンタクトと、前記ボディに第１方向に一列で配列されており且つＵＳＢ３.０用コンタクトの下側に配置された４本のＵＳＢ２.０用のコンタクトとを備えているものがある（特許文献１参照）。ＵＳＢ３.０用コンタクトは、一対の第１、第２差動信号用コンタクトを有している。ＵＳＢ２.０用のコンタクトは、一対の差動信号用コンタクトを有している。
【先行技術文献】
【特許文献】
【０００３】
【特許文献１】特開２０１１-２９１７４号公報
【発明の概要】
【発明が解決しようとする課題】
【０００４】
ＵＳＢ３.０用コンタクトの一対の第１、第２差動信号用コンタクトのうちの内側の第１、第２差動信号用コンタクトと、ＵＳＢ２.０用コンタクトの一対の差動信号用コンタクトとの間の距離が近いため、両者でクロストークが生じる可能性があった。
【０００５】
本発明は、上記事情に鑑みて創案されたものであって、その目的とするところは、コンタクト間のクロストークを低減することができるコネクタを提供することにある。
【課題を解決するための手段】
【０００６】
上記課題を解決するために、本発明のコネクタは、絶縁性を有するボディと、前記ボディに同一高さで第１方向において並ぶように設けられた信号コンタクトである第１、第２コンタクトと、前記ボディの前記第１、第２コンタクトの間に設けられたグランドコンタクトである第３コンタクトと、前記ボディに前記第１、第２、第３コンタクトと異なる高さに位置するように設けられており且つ平面位置的に前記第３コンタクトの前記第１方向の両隣のうちの少なくとも一方に配置された信号コンタクトである第４コンタクトとを備えている。前記第３コンタクトは、クロストーク低減部を有している。前記第１、第２コンタクトは、前記クロストーク低減部に対応する第１、第２対応部を有している。前記クロストーク低減部は、前記第１、第２対応部よりも前記第４コンタクト側に変位している。
【０００７】
このような発明の態様による場合、第１、第２コンタクトの間に配置された第３コンタクトのクロストーク低減部が、第１、第２コンタクトの第１、第２対応部よりも第４コンタクト側に変位している。よって、第４コンタクトから漏れた信号が第３コンタクトのクロストーク低減部に吸収されるので、第１、第２コンタクトと第４コンタクトとの間のクロストークが低減される。
【０００８】
一対の前記第１コンタクトが同一高さで第１方向において隣り合うように配置された構成とすることが可能である。一対の前記第２コンタクトが同一高さで第１方向において隣り合うように配置された構成とすることが可能である。前記第３コンタクトは、前記一対の第１、第２コンタクトのうちの一方の第１、第２コンタクトの間に配置された構成とすることが可能である。
【０００９】
一対の前記第４コンタクトが平面位置的に前記第３コンタクトの前記第１方向の両隣に配置された構成とすることが可能である。この場合、前記第４コンタクトのうち一方の前記第４コンタクトは、前記一方の第１コンタクトと前記第３コンタクトとの間に配置され、他方の前記第４コンタクトは、前記一方の第２コンタクトと前記第３コンタクトとの間に配置された構成とすることが可能である。
【００１０】
前記コネクタは、前記ボディに前記第４コンタクトと同一高さに位置するように設けられており且つ平面位置的に前記第１コンタクトの間に配置された第５コンタクトと、前記ボディに前記第４コンタクトと同一高さに位置するように設けられており且つ平面位置的に前記第２コンタクトの間に配置された第６コンタクトとを更に備えた構成とすることが可能である。
【００１１】
前記第３コンタクトは、外力を受けて当該第３コンタクトの一部が弾性変形することにより前記第４コンタクト側に移動可能な第３接点部を更に有する構成とすることが可能である。前記第１、第２コンタクトは、前記第３コンタクトの第３接点部と同一高さに配置されており且つ外力を受けて当該第１、第２コンタクトの一部が弾性変形することにより前記第４コンタクト側に移動可能な第１、第２接点部を更に有する構成とすることが可能である。前記第４コンタクトは、前記第１、第２、第３接点部の移動方向側に前記第１、第２、第３接点部が接近可能に配置された第４離間部を有する構成とすることが可能である。前記第５コンタクトは、前記第１接点部の移動方向側に前記第１接点部が接近可能に配置された第５離間部を有する構成とすることが可能である。前記第６コンタクトは、前記第２接点部の移動方向側に前記第２接点部が接近可能に配置された第６離間部を有する構成とすることが可能である。移動した状態の前記第１接点部と、前記第５離間部との間の距離を、前記第１、第２、第３接点部の移動に応じて前記第１コンタクトのインピーダンスが各々７５Ω〜１０５Ωの範囲で変動するような距離に設定することが可能である。移動した状態の前記第２接点部と、前記第６離間部との間の距離を、前記第１、第２、第３接点部の移動に応じて前記第２コンタクトのインピーダンスが各々７５Ω〜１０５Ωの範囲で変動するような距離に設定することが可能である。
【００１２】
このような発明の態様による場合、第１、第２、第３接点部が第４、第５、第６離間部に接近したとき、第１、第２コンタクトのインピーダンスの変動が各々７５Ω〜１０５Ωの範囲に抑制される。
【００１３】
前記第３コンタクトは、前記ボディに保持された前記クロストーク低減部であり且つ前記第１方向に直交する第２方向の第１、第２端を有する第３本体部と、前記第３本体部の前記第１端に連接され且つ前記第４コンタクト側に傾斜した第３傾斜部と、前記第３傾斜部に連接された第３接点部と、前記第３本体部の前記第２端に連接されており且つ前記ボディから突出した第３テール部とを有する構成とすることが可能である。前記第１、第２コンタクトは、前記ボディに保持された前記第１、第２対応部であり且つ前記第２方向の第１、第２端を有する第１、第２本体部と、前記第１、第２本体部の前記第１端に連接され且つ前記第４コンタクト側に傾斜した第１、第２傾斜部と、前記第１、第２傾斜部に連接されており且つ前記第３コンタクトの第３接点部と同一高さに配置された第１、第２接点部と、前記第１、第２本体部の前記第２端に連接されており且つ前記ボディから突出した第１、第２テール部とを有する構成とすることが可能である。
【００１４】
前記第１、第２、第３接点部が外力を受けて前記第４コンタクト側に移動することにより、前記第１、第２、第３傾斜部が前記第４コンタクト側に弾性変形可能にすることが可能である。前記第４コンタクトは、前記ボディに保持されており且つ前記第２方向の第１、第２端を有する第４本体部と、前記第４本体部の前記第１端に連接されており且つ前記第１、第２傾斜部と同方向に傾斜した第４傾斜部と、前記第４傾斜部に連接され、前記第２方向に延びており且つ前記第１、第２、第３接点部の移動方向側に前記第１、第２、第３接点部が接近可能に配置された第４離間部と、前記第４離間部に連接された第４接点部と、前記第４本体部の前記第２端に連接されており且つ前記ボディから突出した第４テール部とを有する構成とすることが可能である。前記第５コンタクトは、前記ボディに保持されており且つ前記第２方向の第１、第２端を有する第５本体部と、前記第５本体部の前記第１端に連接されており且つ前記第１、第２傾斜部と同方向に傾斜した第５傾斜部と、前記第５傾斜部に連接され、前記第２方向に延びており且つ前記第１接点部の移動方向側に前記第１接点部が接近可能に配置された第５離間部と、前記第５離間部に連接された第５接点部と、前記第５本体部の前記第２端に連接されており且つ前記ボディから突出した第５テール部とを有する構成とすることが可能である。前記第６コンタクトは、前記ボディに保持されており且つ前記第２方向の第１、第２端を有する第６本体部と、前記第６本体部の前記第１端に連接されており且つ前記第１、第２傾斜部と同方向に傾斜した第６傾斜部と、前記第６傾斜部に連接され、前記第２方向に延びており且つ前記第２接点部の移動方向側に前記第２接点部が接近可能に配置された第６離間部と、前記第６離間部に連接された第６接点部と、前記第６本体部の前記第２端に連接されており且つ前記ボディから突出した第６テール部とを有する構成とすることが可能である。移動した状態の前記第１接点部と、前記第５離間部との間の距離を、前記第１、第２、第３接点部の移動に応じて前記第１コンタクトのインピーダンスが各々７５Ω〜１０５Ωの範囲で変動するような距離に設定することが可能である。移動した状態の前記第２接点部と、前記第６離間部との間の距離を、前記第１、第２、第３接点部の移動に応じて前記第２コンタクトのインピーダンスが各々７５Ω〜１０５Ωの範囲で変動するような距離に設定することが可能である。
【００１５】
このような発明の態様による場合、第１、第２、第３接点部が第４、第５、第６離間部に接近したとき、第１、第２コンタクトのインピーダンスの変動が各々７５Ω〜１０５Ωの範囲に抑制される。
【図面の簡単な説明】
【００１６】
【図１Ａ】本発明の実施例に係るコネクタの正面、平面及び右側面を表した概略的斜視図である。
【図１Ｂ】前記コネクタの背面、底面及び右側面を表した概略的斜視図である。
【図２Ａ】前記コネクタの図１Ａ中の２Ａ−２Ａ断面図である。
【図２Ｂ】前記コネクタの図１Ａ中の２Ｂ−２Ｂ断面図である。
【図２Ｃ】前記コネクタの図１Ａ中の２Ｃ−２Ｃ断面図である。
【図３Ａ】前記コネクタのボディ及び第１、第２端子群の正面、平面及び右側面を表した概略的斜視図である。
【図３Ｂ】前記コネクタのボディ及び第１、第２端子群の背面、底面及び右側面を表した概略的斜視図である。
【図４Ａ】前記コネクタの第１、第２端子群のコンタクトの正面図であり且つ当該コンタクトの位置関係を示す図である。
【図４Ｂ】前記コネクタの第１、第２端子群のコンタクトの背面図であり且つ当該コンタクトの位置関係を示す図である。
【図４Ｃ】前記コネクタの第１、第２端子群のコンタクトの右側面図であり且つ当該コンタクトの位置関係を示す図である。
【図４Ｄ】前記コネクタの第１、第２端子群のコンタクトの平面図であり且つ当該コンタクトの位置関係を示す図である。
【図４Ｅ】前記コネクタの第１、第２端子群のコンタクトの底面図であり且つ当該コンタクトの位置関係を示す図である。
【発明を実施するための形態】
【００１７】
以下、本発明の実施例に係るコネクタについて図１Ａ〜図４Ｅを参照しつつ説明する。図１Ａ及び図１Ｂに示すコネクタは、図示しないケーブル又は図示しない基板等を介してケーブルに接続可能なプラグコネクタである。このコネクタは、ボディ１００と、ＵＳＢ３.０用の第１端子群と、ＵＳＢ２.０用の第２端子群と、シェル４００とを備えている。以下、前記コネクタの各構成要素について詳しく説明する。なお、図２Ａ〜図４Ｅに示すＸは、コネクタ及び第１、第２端子群のコンタクトの幅方向である第１方向、Ｙはコネクタ及び第１、第２端子群のコンタクトの長さ方向である第２方向、Ｚはコネクタの高さ方向及び第１、第２端子群のコンタクトの厚み方向である第３方向である。第１方向Ｘは第２方向Ｙに直交しており、第３方向Ｚは第１方向Ｘ及び第２方向Ｙに直交している。
【００１８】
ボディ１００は、図２Ａ〜図３Ｂに示すように、絶縁性を有する樹脂ブロックである。ボディ１００は、先端部１１０と、中間部１２０と、後端部１３０とを有している。中間部１２０は矩形状である。先端部１１０は、中間部１２０の第２方向Ｙの一端面（前面）の下端部に連接され且つ第２方向Ｙの一方側（前側）に延びた矩形状の板である。後端部１３０は、中間部１２０の第２方向Ｙの他端面（後面）の上端部に連接され且つ第２方向Ｙの他方側（後側）に延びた矩形状の板である。
【００１９】
中間部１２０には、凹部１２１が設けられている。凹部１２１は、中間部１２０を第３方向Ｚに貫通し且つ当該凹部１２１の第２方向Ｙの一方側（前側）が開放されている。先端部１１０には、凹部１１１が設けられている。凹部１１１は、先端部１１０を第３方向Ｚに貫通し且つ中間部１２０の凹部１２１に連通している。凹部１１１、１２１内には、仕切り部１４１、１４２、１４３、１４４が第１方向Ｘに間隔をあけて設けられている。仕切り部１４１、１４２、１４３、１４４は、凹部１１１の第２方向Ｙの一方側（前側）の壁から凹部１２１の第２方向Ｙの他方側（後側）の壁にかけて第２方向Ｙに延びている。仕切り部１４１、１４２、１４３、１４４が凹部１１１、１２１の内部空間を５つの収容空間１０１、１０２、１０３、１０４、１０５に区切っている。後端部１３０の上面には、係合凹部１３１が設けられている。後端部１３０の下面が上記基板上に設置可能となっている。
【００２０】
シェル４００は、シェル本体４１０と、一対の接続片４２０とを有している。シェル本体４１０は導電板で構成された角筒であって、ボディ１００を取り囲んでいる。シェル本体４１０の第２方向Ｙの一端部、ボディ１００の先端部１１０及び中間部１２０により、図示しないレセプタクルコネクタ（相手方コネクタ）が嵌合可能な接続口Ｓが区画されている。シェル本体４１０の第２方向Ｙの他端部の下側部分には、切欠き４１１が設けられている。この切欠き４１１からボディ１００の中間部１２０の前記後面の下端部及びボディ１００の後端部１３０の前記下面が露出している。シェル本体４１０の天板には、第１係合片４１２が設けられている。第１係合片４１２が後端部１３０の係合凹部１３１に係合されている。シェル本体４１０の底板には、一対の第２係合片４１３が設けられている。第２係合片４１３が先端部１１０の係合凹部に係合されている。
【００２１】
接続片４２０は、シェル本体４１０の前記他端部の第１方向Ｘの両側板から下方に垂下されている。接続片４２０が前記基板のグランド用のスルーホール電極に接続可能となっている。
【００２２】
第１端子群は、図４Ａ〜図４Ｅに示すように、一対の第１コンタクト２００ａと、一対の第２コンタクト２００ｂと、第３コンタクト２００ｃとを有している。この第１、第２、第３コンタクトは、図３Ａに示すように、ボディ１００に、第１方向Ｘに２００ａ、２００ａ、２００ｃ、２００ｂ、２００ｂの順で間隔をあけて設けられている。
【００２３】
第２端子群は、一対の第４コンタクト３００ａと、第５コンタクト３００ｂと、第６コンタクト３００ｃとを有している。この第４、第５、第６コンタクトは、ボディ１００の第１端子群（第１、第２、第３コンタクト２００ａ、２００ｂ、２００ｃ）の第３方向Ｚの一方側（下側）の部分に、第１方向Ｘに３００ｂ、３００ａ、３００ａ、３００ｃの順で間隔をあけて設けられている。
【００２４】
一対の第１コンタクト２００ａは、第２方向Ｙに延びた金属板であって、対称形状をなしている。この第１コンタクト２００ａは、第１方向Ｘにおいて隣り合い、約２．５ＧＨｚの高速差動信号を伝送可能な差動ペアを構成している。すなわち、第１コンタクト２００ａは、差動信号伝送用の信号コンタクトである。
【００２５】
各第１コンタクト２００ａは、第１本体部２１０ａと、第１傾斜部２２０ａと、第１接点部２３０ａと、第１テール部２４０ａとを有している。第１本体部２１０ａは、第２方向Ｙに延びた板であって、第２方向Ｙの第１、第２端２１１ａ、２１２ａを有している。第１本体部２１０ａは、ボディ１００の中間部１２０及び後端部１３０内に埋め込まれている。第１本体部２１０ａの第１端２１１ａは、ボディ１００の凹部１２１の第２方向Ｙの他方側の壁から突出している。第１傾斜部２２０ａは、第１本体部２１０ａの第１端２１１ａに連接され且つ第２方向Ｙに延びた板である。第１傾斜部２２０ａは、ボディ１００の収容空間１０１、１０２に収容されている。第１傾斜部２２０ａは、第３方向Ｚの一方側（第４コンタクト３００ａ側）に下り傾斜している。
【００２６】
第１接点部２３０ａは、第１傾斜部２２０ａの第２方向Ｙの一端（前側の端）に連接されている。第１接点部２３０ａは、第３方向Ｚの他方側（上側）に湾曲した湾曲部を有している。第１接点部２３０ａは、ボディ１００の収容空間１０１、１０２の上側に配置されている。これが第１接点部２３０ａの初期位置である。第１接点部２３０ａの湾曲部が第２方向Ｙの一方側から外力を受ける（すなわち、第１接点部２３０ａの湾曲部が接続口Ｓに挿入されたレセプタクルコネクタに第２方向Ｙの一方側から押圧される）ことにより、当該第１接点部２３０ａが前記初期位置から可動位置（図４Ｃ参照）にかけて第３方向Ｚの一方側（第４コンタクト３００ａ側）に移動可能となっている。可動位置に位置した第１接点部２３０ａが収容空間１０１、１０２に挿入される。第１傾斜部２２０ａは、第１接点部２３０ａの移動に伴って収容空間１０１、１０２内を第３方向Ｚの一方側（第４コンタクト３００ａ側）に弾性変形可能となっている。
【００２７】
第１テール部２４０ａは、第１本体部２１０ａの第２端２１２ａに連接され且つボディ１００の後端部１３０から第２方向Ｙの他方側に突出している。第１テール部２４０ａは、折り曲げ部２４１ａと、接続部２４２ａとを有している。折り曲げ部２４１ａは第１本体部２１０ａの第２端２１２ａに連接された下向き略Ｌ字状の板である。接続部２４２ａは、折り曲げ部２４１ａの下端に連接され且つ第２方向Ｙの他方側に延びた板である。この接続部２４２ａが上記ケーブル又は上記基板上の電極に接続可能となっている。
【００２８】
一対の第２コンタクト２００ｂは、一対の第１コンタクト２００ａと同形状の金属板である。よって、第２コンタクト２００ｂは対称形状をなしている。この第２コンタクト２００ｂも、第１方向Ｘにおいて隣り合い、約２．５ＧＨｚの高速差動信号を伝送可能な差動ペアを構成している。すなわち、第２コンタクト２００ｂは、差動信号伝送用の信号コンタクトである。第２コンタクト２００ｂは、第１コンタクト２００ａと同形状であるので、第２コンタクト２００ｂの各部が第１コンタクト２００ａの各部と相違する点についてのみ説明する。
【００２９】
第２コンタクト２００ｂの第２傾斜部２２０ａは、ボディ１００の収容空間１０４、１０５に収容されている。第２コンタクト２００ｂの第２接点部２３０ｂは、ボディ１００の収容空間１０４、１０５の上側に、当該第２接点部２３０ｂの湾曲部の頂点が第１接点部２３０ａの湾曲部の頂点と同一高さに位置するように配置されている。これが第２接点部２３０ｂの初期位置である。第２接点部２３０ｂの湾曲部が第２方向Ｙの一方側から外力を受ける（すなわち、第２接点部２３０ｂの湾曲部が接続口Ｓに挿入されたレセプタクルコネクタに第２方向Ｙの一方側から押圧される）ことにより、当該第２接点部２３０ｂが前記初期位置から可動位置にかけて第３方向Ｚの一方側（第４コンタクト３００ａ側）に移動可能となっている。可動位置に位置した第２接点部２３０ｂが収容空間１０４、１０５に挿入される。
【００３０】
第２傾斜部２２０ｂは、第２接点部２３０ｂの移動に伴って収容空間１０４、１０５内を第３方向Ｚの一方側（第４コンタクト３００ａ側）に弾性変形可能となっている。なお、図２Ａ〜図４Ｅにおける２１０ｂは第２本体部、２１１ｂ、２１２ｂは第２本体部の第２方向Ｙの第１、第２端、２４０ｂは第２テール部、２４１ｂ、２４２ｂは第２テール部の折り曲げ部、接続部である。接続部２４２ｂの下面は、接続部２４２ａの下面と同一高さに配置されている。
【００３１】
第３コンタクト２００ｃは、第２方向Ｙに延びた金属板であって、グランドコンタクトとして使用されている。第３コンタクト２００ｃは、隣り合う第１コンタクト２００ａのうちの一方の第１コンタクト２００ａと、隣り合う第２コンタクト２００ｂのうちの一方の第２コンタクト２００ｂとの間に配置されている。
【００３２】
第３コンタクト２００ｃは、第３本体部２１０ｃと、第３傾斜部２２０ｃと、第３接点部２３０ｃと、第３テール部２４０ｃとを有している。第３本体部２１０ｃは、第２方向Ｙに延びた矩形状の板であって、第２方向Ｙの第１、第２端２１１ｃ、２１２ｃを有している。第３本体部２１０ｃは、第１、第２コンタクト２００ａ、２００ｂの第１、第２本体部２１０ａ、２１０ｂよりも第３方向Ｚの一方側（第４コンタクト３００ａ側）に変位した状態でボディ１００の中間部１２０及び後端部１３０内に埋め込まれている。第３本体部２１０ｃの第１端２１１ｃは、ボディ１００の凹部１２１の第２方向Ｙの他方側の壁から突出している。なお、第３コンタクト２００ｃの第３本体部２１０ｃが特許請求の範囲のクロストーク低減部に相当し、第１、第２コンタクト２００ａ、２００ｂの第１、第２本体部２１０ａ、２１０ｂが前記クロストーク低減部に対応する第１、第２対応部に相当している。
【００３３】
第３傾斜部２２０ｃは、第３本体部２１０ｃの第１端２１１ｃに連接され且つ第２方向Ｙに延びた板である。第３傾斜部２２０ｃは、ボディ１００の収容空間１０３に収容されている。第１傾斜部２２０ａは、第３方向Ｚの一方側（第４コンタクト３００ａ側）に下り傾斜している。第３傾斜部２２０ｃの傾斜角は、第１、第２傾斜部２２０ａ、２２０ｂの傾斜角よりも小さい。
【００３４】
第３接点部２３０ｃは第１、第２接点部２３０ａ、２３０ｂと同形状である。第３接点部２３０ｃは、ボディ１００の収容空間１０３の上側に、当該第３接点部２３０ｃの湾曲部の頂点が第１、第２接点部２３０ａ、２３０ｂの湾曲部の頂点と同一高さに位置するように配置されている。これが第３接点部２３０ｃの初期位置である。第３接点部２３０ｃの湾曲部が第２方向Ｙの一方側から外力を受ける（すなわち、第３接点部２３０ｃの湾曲部が接続口Ｓに挿入されたレセプタクルコネクタに第２方向Ｙの一方側から押圧される）ことにより、当該第３接点部２３０ｃが前記初期位置から可動位置にかけて第３方向Ｚの一方側（第４コンタクト３００ａ側）に移動可能となっている。可動位置に位置した第３接点部２３０ｃが収容空間１０３に挿入される。第３傾斜部２２０ｃは、第３接点部２３０ｃの移動に伴って収容空間１０３内を第３方向Ｚの一方側（第４コンタクト３００ａ側）に弾性変形可能となっている。
【００３５】
第３テール部２４０ｃは第１テール部２４０ａと同形状である。よって、第３テール部２４０ｃの各部についての説明は省略する。図１Ｃ、図２Ｂ及び図４Ｂにおける２４１ｃ、２４２ｃは第３テール部の折り曲げ部、接続部である。接続部２４２ｃの下面は、接続部２４２ａ、２４２ｂの下面と同一高さに配置されている。
【００３６】
一対の第４コンタクト３００ａは、図４Ａ〜図４Ｅに示すように、第２方向Ｙに延びた同一形状の金属板である。この第４コンタクト３００ａのうち一方の第４コンタクト３００ａは、平面位置的に上記一方の第１コンタクト２００ａと第３コンタクト２００ｃとの間に配置されている。他方の第４コンタクト３００ａは、平面位置的に上記一方の第２コンタクト２００ｂと第３コンタクト２００ｃとの間に配置されている。すなわち、一対の第４コンタクト３００ａは、平面位置的に第３コンタクト２００ｃの第１方向Ｘの両隣に配置されている。この第４コンタクト３００ａは約２４０ＭＨｚの高速差動信号を伝送可能な差動ペアを構成している（すなわち、第４コンタクト３００ａは、差動信号伝送用の信号コンタクトである）。
【００３７】
各第４コンタクト３００ａは、図２Ｃに示すように、第４本体部３１０ａと、第４傾斜部３２０ａと、第４離間部３３０ａと、第４接点部３４０ａと、第４テール部３５０ａとを有している。
【００３８】
第４本体部３１０ａは、第２方向Ｙに延びた矩形状の板であって、第２方向Ｙの第１、第２端３１１ａ、３１２ａを有している。第４本体部３１０ａは、ボディ１００の中間部１２０及び後端部１３０内に埋め込まれている。第４傾斜部３２０ａは、第４本体部３１０ａの第１端３１１ａに連接され且つ第２方向Ｙに延びた板であって、第３方向Ｚの一方側（下側）に下り傾斜している。第４傾斜部３２０ａの傾斜角は、第１、第２コンタクト２００ａ、２００ｂの第１、第２傾斜部２２０ａ、２２０ｂの傾斜角よりも大きい。第４傾斜部３２０ａは、仕切り部１４２、１４３内に埋め込まれている。第４傾斜部３２０ａの第１方向Ｘの両端面は、仕切り部１４２、１４３から露出している。
【００３９】
第４離間部３３０ａは、第４傾斜部３２０ａの第２方向Ｙの一端（前側の端）に連接された略Ｌ字状の板である。第４離間部３３０ａは、離間部本体３３１ａと、折り曲げ部３３２ａとを有している。離間部本体３３１ａは、第４傾斜部３２０ａの前記一端に連接され且つ第２方向Ｙに延びた板であって、ボディ１００の仕切り部１４２、１４３及び先端部１１０内に埋め込まれている。離間部本体３３１ａの第１方向Ｘの両端面は、仕切り部１４２、１４３から露出している。離間部本体３３１ａは、上記一方の第１、第２、第３コンタクト２００ａ、２００ｂ、２００ｃの第１、第２、第３接点部２３０ａ、２３０ｂ、２３０ｃの第３接点部２３０ｃの移動方向側（第３方向Ｚの一方側）に配置されている。すなわち、一方の第１、第２接点部２３０ａ、２３０ｂ及び第３接点部２３０ｃが離間部本体３３１ａに対して接近可能となっている。
【００４０】
折り曲げ部３３２ａは、離間部本体３３１ａの第２方向Ｙの一端（前側の端）に連接された板であって、当該離間部本体３３１ａに対して第３方向Ｚの他方側（上側）に直角に折り曲げられ、上側に延びた板である。折り曲げ部３３２ａは、ボディ１００の先端部１１０内に埋め込まれている。
【００４１】
第４接点部３４０ａは、第４離間部３３０ａの折り曲げ部３３２ａの上端に連接された板であって、折り曲げ部３３２ａに対して第２方向Ｙの一方側（前側）に直角に折り曲げられ、前側に延びた板である。第４接点部３４０は、直線状の基端部と、この基端部に続く階段状の先端部とを有している。第４接点部３４０ａは、ボディ１００の先端部１１０内に埋め込まれている。第４接点部３４０ａの基端部の上面がボディ１００の先端部１１０の上面から露出している。
【００４２】
第４テール部３５０ａは、第４本体部３１０ａの第２端３１２ａに連接され且つボディ１００の後端部１３０から第２方向Ｙの他方側に突出している。第４テール部３５０ａは、折り曲げ部３５１ａと、接続部３５２ａとを有している。折り曲げ部３５１ａは第４本体部３１０ａの第２端３１２ａに連接され且つ接続部３５２ａの下面が接続部２４２ａ、２４２ｂの下面と同一高さとなるように折り曲げられた板である。接続部３５２ａは、折り曲げ部３５１ａの下端に連接され且つ第２方向Ｙの他方側に延びた板である。この接続部３５２ａが上記ケーブル又は上記基板上の電極に接続可能となっている。
【００４３】
第５コンタクト３００ｂは、第２方向Ｙに延びた金属板であって、グランドコンタクトとして使用されている。第５コンタクト３００ｂは、平面位置的に一対の第１コンタクト２００ａの間に第４コンタクト３００ａと同一高さで配置されている。第５コンタクト３００ｂは、第５接点部３４０ｂの形状が第４コンタクト３００ａの第４接点部３４０ａの形状と相違している以外、第４コンタクト３００ａと略同じ構成である。よって、第５コンタクト３００ｂの各部が第４コンタクト３００ａの各部と相違する点についてのみ説明する。
【００４４】
第５傾斜部３２０ｂは、ボディ１００の仕切り部１４１内に埋め込まれている。第５傾斜部３２０ｂの第１方向Ｘの両端面は、仕切り部１４１から露出している。第５離間部３３０ｂの離間部本体３３１ｂは、ボディ１００の仕切り部１４１及び先端部１１０内に埋め込まれている。離間部本体３３１ｂの第１方向Ｘの両端面は、仕切り部１４１から露出している。離間部本体３３１ｂは、一対の第１コンタクト２００ａの第１接点部２３０ａの移動方向側（第３方向Ｚの一方側）に配置されている。すなわち、第１接点部２３０ａが離間部本体３３１ｂに対して接近可能となっている。第５接点部３４０ｂの基端部の第２方向Ｙの寸法が、第４接点部３４０ａの基端部の第２方向Ｙの寸法よりも長く、第５接点部３４０ｂの先端部の第２方向Ｙの寸法が第４接点部３４０ａの先端部の第２方向Ｙの寸法よりも短い。図２Ａ、図３Ａ〜図４Ｅに示す３１０ｂは、第５コンタクトの第５本体部、３１１ｂは第５本体部の第２方向の第１端、３１２ｂは第５本体部の第２方向の第２端、３３２ｂは第５離間部の折り曲げ部、３５０ｂは第５コンタクトの第５テール部、３５１ｂは第５テール部の折り曲げ部、３５２ｂは第５テール部の接続部である。
【００４５】
第６コンタクト３００ｃは、第２方向Ｙに延びた金属板であって、Ｖｂｕｓ用コンタクトとして使用されている。第６コンタクト３００ｃは、平面位置的に一対の第２コンタクト２００ｂの間に第４コンタクト３００ａと同一高さで配置されている。第６コンタクト３００ｃは、図４Ａ〜図４Ｅに示すように、第５コンタクト３００ｂと対称形状である以外、第５コンタクト３００ｂと同じ構成である。よって、第６コンタクト３００ｃの各部が第５コンタクト３００ｂの各部と相違する点についてのみ説明する。
【００４６】
第６傾斜部３２０ｃは、ボディ１００の仕切り部１４４内に埋め込まれている。第６傾斜部３２０ｃの第１方向Ｘの両端面は、仕切り部１４４から露出している。第６離間部３３０ｃの離間部本体３３１ｃは、ボディ１００の仕切り部１４４及び先端部１１０内に埋め込まれている。離間部本体３３１ｃの第１方向Ｘの両端面は、仕切り部１４４から露出している。離間部本体３３１ｃは、一対の第２コンタクト２００ｂの第２接点部２３０ｂの移動方向側（第３方向Ｚの一方側）に配置されている。すなわち、第２接点部２３０ｂが離間部本体３３１ｃに対して接近可能となっている。図３Ａ〜図４Ｅに示す３１０ｃは、第６コンタクトの第６本体部、３１１ｃは第６本体部の第２方向の第１端、３１２ｃは第６本体部の第２方向の第２端、３３２ｃは第６離間部の折り曲げ部、３４０ｃは第６コンタクトの第６接点部、３５０ｃは第６コンタクトの第６テール部、３５１ｃは第６テール部の折り曲げ部、３５２ｃは第６テール部の接続部である。
【００４７】
図４Ｃ及び図４Ｄに示すＤは、第５コンタクト３００ｂの第５離間部３３０ｂの離間部本体３３１ｂと、上記可動位置に位置した（移動した状態の）第１コンタクト２００ａの第１接点部２３０ａの湾曲部の根元との間の距離であり、且つ、第６コンタクト３００ｃの第６離間部３３０ｃの離間部本体３３１ｃと、上記可動位置に位置した（移動した状態の）第２コンタクト２００ｂの第２接点部２３０ｂの湾曲部の根元との間の距離である。この距離Ｄが、第１、第２、第３接点部２３０ａ、２３０ｂ、２３０ｃの上記初期位置から前記可動位置への移動に応じて、第１、第２コンタクト２００ａ、２００ｂのインピーダンスが各々７５Ω〜１０５Ωの範囲で変動するような距離に設定されている。このように第５離間部３３０ｂの離間部本体３３１ｂと、前記可動位置に位置した第１接点部２３０ａとの間の前記距離が大きく離されており、第６離間部３３０ｃの離間部本体３３１ｃと、前記可動位置に位置した第２接点部２３０ｂとの間の前記距離が大きく離されている。このため、第１、第２、第３接点部２３０ａ、２３０ｂ、２３０ｃが離間部本体３３１ａ、３３１ｂ、３３１ｃに対して接近することにより、第１、第２コンタクト２００ａ、２００ｂのインピーダンスが変動する範囲が上記範囲に抑制されている。なお、第１接点部２３０ａの前記可動位置は、第１接点部２３０ａと離間部本体３３１ｂとの間の第３方向Ｚの距離が距離Ｄになる位置である。第２、第３接点部２３０ｂ、２３０ｃの可動位置は、第１接点部２３０ａの前記可動位置と同じに設定されている。可動位置に位置した第１、第２、第３コンタクト２００ａ、２００ｂ、２００ｃの第１、第２、第３接点部２３０ａ、２３０ｂ、２３０ｃの湾曲部の頂部は、第４、第５、第６コンタクト３００ａ、３００ｂ、３００ｃの第４、第５、第６接点部３４０ａ、３４０ｂ、３４０ｃの上面（第３方向Ｚの他方側の面）よりも上方に位置する。
【００４８】
以下、上記構成のコネクタの組み立て手順について詳しく説明する。まず、金属板を用意する。その後、前記金属板をプレス成型することにより、一対の第１コンタクト２００ａ、一対の第２コンタクト２００ｂ、第３コンタクト２００ｃ、一対の第４コンタクト３００ａ、第５コンタクト３００ｂ及び第６コンタクト３００ｃを一度に作成する。第１、第２、第３コンタクト２００ａ、２００ｂ、２００ｃ及び第４、第５、第６コンタクト３００ａ、３００ｂ、３００ｃのテール部は、第１キャリアに接続されている。第４、第５、第６コンタクト３００ａ、３００ｂ、３００ｃの接点部は、第２キャリアに接続されている。
【００４９】
その後、第１、第２、第３コンタクト２００ａ、２００ｂ、２００ｃ及び第４、第５、第６コンタクト３００ａ、３００ｂ、３００ｃをボディ１００にインサート成型する。このとき、第１、第２、第３コンタクト２００ａ、２００ｂ、２００ｃの第１、第２、第３本体部２１０ａ、２１０ｂ、２１０ｃがボディ１００に第１方向Ｘに間隔あけて埋め込まれる。第１傾斜部２２０ａ及び第１接点部２３０ａがボディ１００の収容空間１０１、１０２に挿入される。第２傾斜部２２０ｂ及び第２接点部２３０ｂがボディ１００の収容空間１０４、１０５に挿入される。第３傾斜部２２０ｃ及び第３接点部２３０ｃがボディ１００の収容空間１０３に挿入される。第１、第２、第３テール部２４０ａ、２４０ｂ、２４０ｃがボディ１００から後側に突出する。これと共に、第４コンタクト３００ａの第４テール部３５０ａ以外の部分（第４本体部３１０ａ、第４傾斜部３２０ａ、第４離間部３３０ａ及び第４接点部３４０ａ）と、第５コンタクト３００ｂの第５テール部３５０ｂ以外の部分（第５本体部３１０ｂ、第５傾斜部３２０ｂ、第５離間部３３０ｂ及び第５接点部３４０ｂ）と、第６コンタクト３００ｃの第６テール部３５０ｃ以外の部分（第６本体部３１０ｃ、第６傾斜部３２０ｃ、第６離間部３３０ｃ及び第６接点部３４０ｃ）がボディ１００に第１方向Ｘに間隔あけて埋め込まれる。このようにして第１、第２、第３コンタクトが、ボディ１００に２００ａ、２００ａ、２００ｃ、２００ｂ、２００ｂの順で第１方向Ｘに間隔あけて一列で配列されると共に、第４、第５、第６コンタクトが、ボディ１００の第１、第２、第３コンタクト２００ａ、２００ｂ、２００ｃの下側に、３００ｂ、３００ａ、３００ａ、３００ｃの順で第１方向Ｘに間隔あけて一列で配列される。
【００５０】
その後、ボディ１００をシェル４００内に挿入する。すると、シェル４００の第１係合片４１２がボディ１００の係合凹部１３１に係合され、第２係合片４１３がボディ１００の係合凹部に係合される。
【００５１】
以上の通り組み立てられたコネクタはケーブル又は基板等を介してケーブルに接続される。ここでは、前記コネクタを前記基板を介して前記ケーブルに接続する手順について説明する。まず、シェル４００の接続片４２０を前記基板のグランド用のスルーホール電極に挿入する。すると、第１、第２、第３コンタクト２００ａ、２００ｂ、２００ｃの第１、第２、第３テール部２４０ａ、２４０ｂ、２４０ｃ及び第４、第５、第６コンタクト３００ａ、３００ｂ、３００ｃの第４、第５、第６テール部３５０ａ、３５０ｂ、３５０ｃが前記基板上の電極に各々接触する。この状態で、接続片４２０が前記スルーホール電極に半田接続される。第１、第２、第３、第４、第５テール部２４０ａ、２４０ｂ、２４０ｃ、３５０ａ、３５０ｂ、３５０ｃが前記電極に各々半田接続される。前記基板には、前記ケーブルが接続されるので、前記コネクタが前記基板を介して前記ケーブルに接続される。
【００５２】
以上のようなコネクタによる場合、第１コンタクト２００ａから漏れた信号が第５コンタクト３００ｂに吸収され、第２コンタクト２００ｂから漏れた信号が第６コンタクト３００ｃに吸収される。第１、第２コンタクト２００ａ、２００ｂの間に配置された第３コンタクト２００ｃの第３本体部２１０ｃ（クロストーク低減部）が、第１、第２コンタクト２００ａ、２００ｂの第１、第２本体部２１０ａ、２１０ｂ（第１、第２対応部）よりも第４コンタクト３００ａ側に変位している。よって、第４コンタクト３００ａの第４本体部３１０ａから漏れた信号が第３本体部２１０ｃに吸収され、内側の第１、第２コンタクト２００ａ、２００ｂの第１、第２本体部２１０ａ、２１０ｂに吸収されるのを抑止することができる。この結果、第１、第２コンタクト２００ａ、２００ｂと第４コンタクト３００ａとの間のクロストークが低減される。
【００５３】
しかも、距離Ｄが、第１、第２、第３接点部２３０ａ、２３０ｂ、２３０ｃの前記初期位置から前記可動位置への移動に応じて、第１、第２コンタクト２００ａ、２００ｂのインピーダンスが各々７５Ω〜１０５Ωの範囲で変動するような距離に設定されている。このため、第１、第２、第３接点部２３０ａ、２３０ｂ、２３０ｃの湾曲部がレセプタクルコネクタに押圧され、当該第１、第２、第３接点部２３０ａ、２３０ｂ、２３０ｃが初期位置から可動位置に移動して離間部本体３３１ａ、３３１ｂ、３３１ｃに接近したときに、第１、第２コンタクト２００ａ、２００ｂのインピーダンスが変動する範囲を各々７５Ω〜１０５Ωの範囲に抑制することができる。よって、第１、第２、第３コンタクト２００ａ、２００ｂ、２００ｃの第１、第２、第３接点部２３０ａ、２３０ｂ、２３０ｃの移動時における第１コンタクト２００ａ間及び第２コンタクト２００ｂ間のインピーダンス整合を図ることができる。
【００５４】
なお、上述したコネクタは、上記実施例に限定されるものではなく、特許請求の範囲の記載範囲において任意に設計変更することが可能である。以下、詳しく述べる。
【００５５】
上記実施例では、一対の第１、第２コンタクト２００ａ、２００ｂがボディ１００に第１方向Ｘにおいて隣り合い且つ差動ペアを構成しているとした。しかし、少なくとも一本の第１、第２コンタクトが、第１方向において並ぶように配置されていれば良い。
【００５６】
また、上記実施例では、第１、第２コンタクト２００ａ、２００ｂは、第１、第２本体部２１０ａ、２１０ｂと、第１、第２傾斜部２２０ａ、２２０ｂと、第１、第２接点部２３０ａ、２３０ｂと、第１、第２テール部２４０ａ、２４０ｂとを有するとした。しかし、第１、第２コンタクトは、第３コンタクトのクロストーク低減部に対応する第１、第２対応部を有する限り任意に設計変更することが可能である。例えば、第１、第２コンタクトは、第３コンタクトのクロストーク低減部に対応する部分である第１、第２対応部と、第３コンタクトの第３接点部と同一高さに配置されており且つ外力を受けて当該第１、第２コンタクトの一部が弾性変形することにより第４コンタクト側に移動可能な第１、第２接点部とを有する構成とすることが可能である。なお、一対の第１コンタクトは、同一形状又は異なる形状とすることが可能であり、一対の第２コンタクトも、同一形状又は異なる形状とすることが可能である。
【００５７】
上記実施例では、第３コンタクト２００ｃは、一方の第１コンタクト２００ａと、一方の第２コンタクト２００ｂとの間に配置されているとした。しかし、第３コンタクトは、第１、第２コンタクトの間に配置されていれば良い。また、上記実施例では、第３コンタクトは、クロストーク低減部である第３本体部２１０ｃと、第３傾斜部２２０ｃと、第３接点部２３０ｃと、第３テール部２４０ｃとを有するとした。しかし、第３コンタクトは、前記第１、第２対応部よりも前記第４コンタクト側に変位したクロストーク低減部を有している限り任意に設計変更することが可能である。すなわち、クロストーク低減部は、第３コンタクトの任意の箇所に設けることが可能である。また、第３コンタクトは、クロストーク低減部と、外力を受けて当該第３コンタクトの一部が弾性変形することにより前記第４コンタクト側に移動可能な第３接点部とを有する構成とすることが可能である。
【００５８】
上記実施例では、第１、第２、第３コンタクト２００ａ、２００ｂ、２００ｃの第１、第２、第３接点部２３０ａ、２３０ｂ、２３０ｃは、初期位置から可動位置にかけて第４コンタクト３００ａ側に移動可能であるとした。しかし、第１、第２、第３コンタクトの第１、第２、第３接点部がボディに固定された構成とすることが可能である。すなわち、第１、第２、第３接点部は、相手方コネクタがコネクタの接続口に挿入されたときに、外力を受けても、移動しない構成とすることが可能である。この場合、第１、第２、第３コンタクトの第１、第２、第３傾斜部は省略することが可能であり、第１、第２、第３本体部と、第１、第２、第３接点部と、第１、第２、第３テール部とを有する構成とすることが可能である。第１、第２、第３傾斜部は省略せずに、ボディ内に埋め込むことも可能である。この場合、第１、第２、第３傾斜部は弾性変形しない。
【００５９】
上記実施例では、一方の第４コンタクト３００ａは、平面位置的に一方の第１コンタクト２００ａと第３コンタクト２００ｃとの間に配置され、他方の第４コンタクト３００ａは、平面位置的に上記一方の第２コンタクト２００ｂと第３コンタクト２００ｃとの間に配置されているとした。しかし、第４コンタクトは、平面位置的に第３コンタクト２００ｃの第１方向Ｘの両隣のうちの少なくとも一方に配置されている限り任意に設計変更することが可能である。よって、第４コンタクトは、差動ペアを構成している必要はない。第４コンタクトが、平面位置的に第１コンタクトと第３コンタクトとの間及び第２コンタクトと第３コンタクトとの間の何れか一方に配置することが可能である。第４コンタクトは、第１、第２コンタクトの何れか一方の鉛直線上に配置することが可能である。一対の第４コンタクトが、第１、第２コンタクトの鉛直線上に配置することが可能である。また、第４コンタクトの形状は、任意に設計変更することが可能である。例えば、第４コンタクトは、第４本体部と、第４接点部と、第１、第２、第３接点部の移動方向側に前記第１、第２、第３接点部が接近可能に配置された第４離間部を有する構成とすることが可能である。また、第４コンタクトは、第４本体部と、第４接点部と、第４テール部とを有する構成とすることが可能である。すなわち、第４離間部は省略可能である。
【００６０】
上記実施例では、距離Ｄは、第５コンタクト３００ｂの第５離間部３３０ｂの離間部本体３３１ｂと、上記可動位置に位置した第１コンタクト２００ａの第１接点部２３０ａの湾曲部の根元との間の距離であり、且つ、第６コンタクト３００ｃの第６離間部３３０ｃの離間部本体３３１ｃと、上記可動位置に位置した第２コンタクト２００ｂの第２接点部２３０ｂの湾曲部の根元との間の距離であるとした。しかし、距離Ｄは、移動した状態の第１コンタクトの第１接点部と、第５コンタクトの第５離間部との間の距離が、第１、第２、第３接点部の移動に応じて前記第１コンタクトのインピーダンスが各々７５Ω〜１０５Ωの範囲で変動するような距離、及び、移動した状態の第２コンタクトの第２接点部と、第６コンタクトの第６離間部との間の距離が、第１、第２、第３接点部の移動に応じて前記第２コンタクトのインピーダンスが各々７５Ω〜１０５Ωの範囲で変動するような距離に設定されている限り任意に設計変更することが可能である。
【００６１】
上記実施例では、コネクタは、第５、第６コンタクト３００ｂ、３００ｃを備えているとした。しかし、第５、第６コンタクトは省略可能である。また、第５、第６コンタクトの形状は、第４コンタクトの形状と同一又は相違する形状とすることが可能である。例えば、第５、第６コンタクトの形状は、段落００５９で述べた第４コンタクトと同様に設計変更することが可能である。また、第５、第６コンタクトの形状は、第２方向の断面形状が第４コンタクトの第２方向の断面形状と一致し、当該第５、第６コンタクトの少なくとも一部の第１方向の形状が、第４コンタクトの第１方向の形状と相違した形状とすることが可能である。第５コンタクトは、グランドコンタクト以外のコンタクトとして使用可能である。第６コンタクトは、Ｖｂｕｓ用コンタクト以外のコンタクトとして使用可能である。
【００６２】
上記実施例では、第１、第２、第３、第４、第５、第６テール部は、ボディ１００から第２方向Ｙの他方側（後側）に突出しており且つケーブル又は基板等を介してケーブルに接続可能であるとした。しかし、第１、第２、第３、第４、第５、第６テール部は、これに限定されるものではない。例えば、第１、第２、第３、第４、第５、第６テール部は、ボディ１００から第２方向Ｙの他方側（後側）に突出しており且つ基板上の電極に実装可能な構成とすることが可能である。また、第１、第２、第３、第４、第５、第６テール部は、ボディから第３方向の一方側に垂下させ、基板のスルーホール電極に接続可能な構成とすることが可能である。これらの基板には、ケーブルが接続されない構成とすることが可能である。すなわち、本発明に係るコネクタは、プラグコネクタだけでなく、基板に実装可能なレセプタクルコネクタとしても適応可能である。
【００６３】
上記実施例では、第４、第５、第６離間部は、離間部本体と、折り曲げ部とを有するとした。しかし、第４、第５、第６離間部は、離間部本体を少なくとも有している限り任意に設計変更することが可能である。例えば、第４、第５、第６接点部が第４、第５、第６離間部の離間部本体に連接された構成とすることが可能である。また、上記実施例では、第４、第５、第６離間部の折り曲げ部は、離間部本体に対して直角に折り曲げられているとしたが、離間部本体に対して傾斜するように又は階段状に折り曲げられた構成とすることも可能である。
【００６４】
上記実施例では、ボディ１００は、先端部１１０と、中間部１２０と、後端部１３０とを有するとした。しかし、ボディは、第１、第２コンタクトを同一高さで第１方向において並べて保持し、第３コンタクトを前記第１、第２コンタクトの間で保持し、且つ第４コンタクトを前記第１、第２コンタクト及び前記第３コンタクトと異なる高さ位置で、当該第４コンタクトが平面位置的に前記第３コンタクトの前記第１方向の両隣の少なくとも一方に位置するように保持し得る限り任意に設計変更することが可能である。例えば、ボディに第２方向に貫通する複数の貫通孔に、第１、第２コンタクト、第３コンタクト及び第４コンタクトが圧入保持される構成とすることが可能である。第５、第６コンタクトもボディに第２方向に貫通する複数の貫通孔に圧入保持される構成とすることが可能である。また、第１、第２コンタクト、第３コンタクト及び第４コンタクトの何れか一つがボディに埋設され、残りがボディの貫通孔に圧入保持される構成とすることが可能である。
【００６５】
また、ボディには、凹部１１１、１１２の代わりに、当該ボディを第３方向に貫通しない別の凹部が設けられた構成とすることが可能である。この場合、第１、第２、第３コンタクトの第１、第２、第３接点部は、前記別の凹部内を初期位置から可動位置にかけて移動可能な構成とすることが可能である。なお、第１、第２、第３接点部の初期位置及び可動位置は任意に設定することが可能であり、上記実施例に限定されない。前記可動位置は、第１、第２、第３接点部が、初期位置から第４離間部に接近した位置である限り任意に設定することができる。
【００６６】
仕切り部１４１、１４２、１４３、１４４は省略することが可能である。仕切り部は、ボディの前記別の凹部に設けることが可能である。
【００６７】
上記実施例では、シェル４００がボディ１００を取り囲んでいるとした。しかし、シェルは省略可能である。また、シェルは、ボディを取り囲むことができる限り任意に設計変更することが可能である。すなわち、接続片４２０は省略可能である。
【００６８】
なお、上記実施例では、コネクタの各部を構成する素材、形状、寸法、数及び配置等はその一例を説明したものであって、同様の機能を実現し得る限り任意に設計変更することが可能である。上記実施例では、第１端子群がＵＳＢ３.０用の端子群であり、第２端子群がＵＳＢ２.０用の端子群であるとしたが、第１、第２端子群は、ＵＳＢ以外の規格に対応させることが可能である。
【符号の説明】
【００６９】
１００・・・・ボディ
１１０・・・先端部
１２０・・・中間部
１３０・・・後端部
２００ａ・・・第１コンタクト
２１０ａ・・第１本体部（第１対応部）
２１１ａ・第１端
２１２ａ・第２端
２２０ａ・・第１傾斜部
２３０ａ・・第１接点部
２４０ａ・・第１テール部
２００ｂ・・・第２コンタクト
２１０ｂ・・第２本体部（第２対応部）
２１１ｂ・第１端
２１２ｂ・第２端
２２０ｂ・・第２傾斜部
２３０ｂ・・第２接点部
２４０ｂ・・第２テール部
２００ｃ・・・第３コンタクト
２１０ｃ・・第３本体部（クロストーク低減部）
２１１ｃ・第１端
２１２ｃ・第２端
２２０ｃ・・第３傾斜部
２３０ｃ・・第３接点部
２４０ｃ・・第３テール部
３００ａ・・・第４コンタクト
３１０ａ・・第４本体部
３１１ａ・第１端
３１２ａ・第２端
３２０ａ・・第４傾斜部
３３０ａ・・第４離間部
３４０ａ・・第４接点部
３５０ａ・・第４テール部
３００ｂ・・・第５コンタクト
３１０ｂ・・第５本体部
３１１ｂ・第１端
３１２ｂ・第２端
３２０ｂ・・第５傾斜部
３３０ｂ・・第５離間部
３４０ｂ・・第５接点部
３５０ｂ・・第５テール部
３００ｃ・・・第６コンタクト
３１０ｃ・・第６本体部
３１１ｃ・第１端
３１２ｃ・第２端
３２０ｃ・・第６傾斜部
３３０ｃ・・第６離間部
３４０ｃ・・第６接点部
３５０ｃ・・第６テール部
４００・・・・シェル
Ｘ・・・・・・第１方向  
Ｙ・・・・・・第２方向  
Ｚ・・・・・・第３方向  
【図１Ａ】
2013242983.tif 000003
【図１Ｂ】
2013242983.tif 000004
【図２Ａ】
2013242983.tif 000005
【図２Ｂ】
2013242983.tif 000006
【図２Ｃ】
2013242983.tif 000007
【図３Ａ】
2013242983.tif 000008
【図３Ｂ】
2013242983.tif 000009
【図４Ａ】
2013242983.tif 000010
【図４Ｂ】
2013242983.tif 000011
【図４Ｃ】
2013242983.tif 000012
【図４Ｄ】
2013242983.tif 000013
【図４Ｅ】
2013242983.tif 000014